(57)【要約】エレベータのかご上手摺装置では、縮小位置と拡張位置との間で変位可能な延長手摺が手摺装置本体に接続されている。延長手摺を縮小位置から拡張位置に変位させることにより、手摺装置本体及び延長手摺により囲まれる包囲範囲が拡張される。
2003074410.tif 000002
【特許請求の範囲】
【請求項１】
かご上に設けられ、上記かご上での保守点検作業のための作業領域を囲むエレベータのかご上手摺装置であって、
手摺装置本体、及び
上記手摺装置本体に接続され、縮小位置と拡張位置との間で変位可能な延長手摺
を備え、上記延長手摺を上記縮小位置から上記拡張位置に変位させることにより、上記手摺装置本体及び上記延長手摺により囲まれる包囲範囲が拡張されるエレベータのかご上手摺装置。
【請求項２】
上記延長手摺が上記縮小位置にあるとき、かごの戸を開閉するドアマシンの上方に位置するドアマシン据付空間は上記包囲範囲の外側に位置し、上記延長手摺を上記縮小位置から上記拡張位置に変位させることにより、上記ドアマシン据付空間が上記包囲範囲に含まれる請求項１記載のエレベータのかご上手摺装置。
【請求項３】
上記延長手摺は、上記縮小位置と上記拡張位置との間でスライド移動される請求項１記載のエレベータのかご上手摺装置。
【請求項４】
上記延長手摺は、平行リンク機構を有しており、上記平行リンク機構を折り畳むことにより上記拡張位置から上記縮小位置へ変位される請求項１記載のエレベータのかご上手摺装置。
【請求項５】
上記延長手摺は、垂直な軸を中心に揺動されることにより上記縮小位置と上記拡張位置との間で変位される請求項１記載のエレベータのかご上手摺装置。
【請求項６】
上記手摺装置本体は、かご上に倒すことができるように構成されている請求項１記載のエレベータのかご上手摺装置。
【発明の詳細な説明】
技術分野
この発明は、かご上に設けられ、かご上での保守点検作業のための作業領域を囲むエレベータのかご上手摺装置に関するものである。
背景技術
図１３は従来のエレベータのかごの一例を示す側面図である。図において、かご枠１は、一対の縦枠２、縦枠２の下端部間に設けられている下枠３、及び縦枠２の上端部間に設けられている上枠４を有している。下枠３上には、かご室５が支持されている。かご室５の前面には、かご出入口（図示せず）を開閉するかごの戸６が配置される。かごの戸６を駆動するドアマシン７は、かごの戸６の上方で上枠４に支持されている。かご本体８は、かご枠１、かご室５、かごの戸６及びドアマシン７を有している。
また、上枠４には、接続部材（図示せず）を介して手摺装置９が固定されている。手摺装置９は、複数の固定手摺１０を有している。手摺装置９は、かご上での保守点検作業のための作業領域を囲むように配置されている。しかし、従来のエレベータでは、ドアマシン７を据え付ける際の作業スペースを確保するため、ドアマシン７の上方の空間は、手摺装置９により囲むことができなかった。
発明の開示
この発明は、上記のような課題を解決するためになされたものであり、より広い作業領域を囲むことができるエレベータのかご上手摺装置を得ることを目的とする。
この発明によるエレベータのかご上手摺装置は、かご上に設けられ、かご上での保守点検作業のための作業領域を囲むものであって、手摺装置本体、及び手摺装置本体に接続され、縮小位置と拡張位置との間で変位可能な延長手摺を備え、延長手摺を縮小位置から拡張位置に変位させることにより、手摺装置本体及び延長手摺により囲まれる包囲範囲が拡張されるものである。
発明を実施するための最良の形態
以下、この発明の好適な実施の形態について図面を参照して説明する。
実施の形態１．
図１はこの発明の実施の形態１によるエレベータのかご上手摺装置を示す側面図、図２は図１のかご上手摺装置の包囲範囲を広げた状態を示す側面図、図３は図２のかご上手摺装置を示す平面図である。
図において、かご枠１は、一対の縦枠２、縦枠２の下端部間に設けられている下枠３（図１３参照）、及び縦枠２の上端部間に設けられている上枠４を有している。下枠３上には、かご室５が支持されている。かご室５の前面には、かご出入口（図示せず）を開閉するかごの戸６が配置される。かごの戸６を駆動するドアマシン７は、かごの戸６の上方で上枠４に支持されている。かご本体８は、かご枠１、かご室５、かごの戸６及びドアマシン７を有している。
上枠４には、手摺装置本体１１が立設されている。手摺装置本体１１は、第１ないし第３の固定手摺１２〜１４を有している。手摺装置本体１１の前端部には、図１に示す縮小位置と図２に示す拡張位置との間で変位可能な延長手摺１５が接続されている。図３では、拡張位置が実線で示され、縮小位置が２点鎖線で示されている。
延長手摺１５を縮小位置から拡張位置に変位させることにより、手摺装置本体１１及び延長手摺１５により囲まれる包囲範囲が拡張される。具体的には、延長手摺１５が縮小位置にあるとき、ドアマシン７の上方に位置するドアマシン据付空間１６は包囲範囲の外側に位置する。また、延長手摺１５を縮小位置から拡張位置に変位させることにより、ドアマシン据付空間１６が包囲範囲に含まれる。
手摺装置本体１１には、延長手摺１５を接続するための複数の本体取付孔１１ａが設けられている。また、延長手摺１５には、縮小位置にあるときに本体側取付孔１１ａと組み合わされる複数の第１の取付孔１５ａと、拡張位置にあるときに本体側取付孔１１ａと組み合わされる複数の第２の取付孔１５ｂとが設けられている。延長手摺１５は、本体側取付孔１１ａと第１又は第２の取付孔１５ａ，１５ｂとに締結具（図示せず）を通すことにより、手摺装置本体１１に接続されている。
かご上手摺装置は、手摺装置本体１１と延長手摺１５とを有し、かご本体８上での保守点検作業のための作業領域を囲むように配置されている。
このようなエレベータのかご上手摺装置によれば、延長手摺１５を縮小位置に位置させることにより、ドアマシン７の据付作業を行うためのスペースを十分に確保することができる。また、ドアマシン７の据付後には、延長手摺１５を拡張位置に位置させることにより、より広い作業領域を囲むことができる。
実施の形態２．
次に、図４はこの発明の実施の形態２によるエレベータのかご上手摺装置を示す側面図、図５は図４のかご上手摺装置の包囲範囲を広げた状態を示す側面図である。図において、手摺装置本体１１の前端部には、図４に示す縮小位置と図５に示す拡張位置との間で変位可能な延長手摺２１が接続されている。延長手摺２１は、拡張位置と縮小位置との間でスライド移動される。固定手摺１２，１３は、延長手摺２１のスライドのガイドを兼ねている。また、手摺装置本体１１には、延長手摺２１を拡張位置及び縮小位置に固定するための固定具２２が設けられている。他の構成は、実施の形態１と同様である。
このようなエレベータのかご上手摺装置によれば、延長手摺２１を縮小位置に位置させることにより、ドアマシン７の据付作業を行うためのスペースを十分に確保することができる。また、ドアマシン７の据付後には、延長手摺２１を拡張位置に位置させることにより、より広い作業領域を囲むことができる。
実施の形態３．
次に、図６はこの発明の実施の形態３によるエレベータのかご上手摺装置を示す側面図、図７は図６のかご上手摺装置の包囲範囲を広げた状態を示す側面図である。図において、手摺装置本体１１の前端部には、図６に示す縮小位置と図７に示す拡張位置との間で変位可能な延長手摺２３が接続されている。延長手摺２３は、平行リンク機構を有しており、拡張位置から折り畳まれて縮小位置に変位される。
また、延長手摺２３には、揺動自在のアーム２４が設けられている。さらに、手摺装置本体１１には、アーム２４が係合される係合部２５が設けられている。アーム２４を係合部２５に係合させることにより、延長手摺２３は拡張位置に保持される。他の構成は、実施の形態１と同様である。
このようなエレベータのかご上手摺装置によれば、延長手摺２３を縮小位置に位置させることにより、ドアマシン７の据付作業を行うためのスペースを十分に確保することができる。また、ドアマシン７の据付後には、延長手摺２３を拡張位置に位置させることにより、より広い作業領域を囲むことができる。
実施の形態４．
次に、図８はこの発明の実施の形態４によるエレベータのかご上手摺装置を示す側面図、図９は図８のかご上手摺装置の包囲範囲を広げた状態を示す側面図、図１０は図９のかご上手摺装置を示す平面図である。
図において、手摺装置本体１１の前端部には、図８に示す縮小位置と図９に示す拡張位置との間で変位可能な延長手摺２６が接続されている。図１０では、拡張位置が実線で示され、縮小位置が２点鎖線で示されている。
延長手摺２６は、第１の側部手摺２７、第２の側部手摺２８、第１の前部手摺２９及び第２の前部手摺３０を有している。第１の側部手摺２７は、垂直な軸２７ａを中心として揺動可能に第１の固定手摺１２に接続されている。第２の側部手摺２８は、垂直な軸２８ａを中心として揺動可能に第２の固定手摺１３に接続されている。
第１の前部手摺２９は、垂直な軸２９ａを中心として揺動可能に第１の側部手摺２７に接続されている。第２の前部手摺３０は、垂直な軸３０ａを中心として揺動可能に第２の側部手摺２８に接続されている。第１及び第２の前部手摺２９，３０は、垂直な屈曲軸３１を中心として揺動可能に互いに接続されている。
第１及び第２の側部手摺２７，２８には、複数の係合部３２が設けられている。第１及び第２の固定手摺１２，１３には、係合部３２に係合する複数のフック３３が設けられている。
延長手摺２６は、第１及び第２の側部手摺２７，２８を揺動させることにより、拡張位置と縮小位置との間で変位される。また、変位の途中では、第１及び第２の前部手摺２９，３０が屈曲軸３１で屈曲される。他の構成は、実施の形態１と同様である。
このようなエレベータのかご上手摺装置によれば、延長手摺２６を縮小位置に位置させることにより、ドアマシン７の据付作業を行うためのスペースを十分に確保することができる。また、ドアマシン７の据付後には、延長手摺２６を拡張位置に位置させることにより、より広い作業領域を囲むことができる。
なお、前部手摺を省略して、側部手摺のみを有する延長手摺を用いてもよい。
また、例えばチェーン等の可撓性を有する部材により前部手摺を構成してもよい。
実施の形態５．
図１１はこの発明の実施の形態５によるエレベータのかご上手摺装置を示す側面図、図１２は図１１のかご上手摺装置の包囲範囲を広げた状態を示す側面図である。この例では、第１ないし第３の固定手摺１２〜１４がそれぞれ水平な軸３４を中心に回動可能になっている。これにより、第１ないし第３の固定手摺１２〜１４は、かご本体８上に倒すことが可能になっている。また、延長手摺２６の前部手摺（図示せず）としては、チェーン等の可撓性を有する部材が用いられている。なお、前部手摺は省略してもよい。他の構成は、実施の形態４と同様である。
このようなかご上手摺装置では、保守点検時以外は手摺装置本体１１を折り畳んでかご本体８上に倒しておくことができるため、通常運転時には、かご上手摺装置を含むかご全体の高さを低くすることができる。従って、昇降路内の頂部隙間を小さくすることができる。さらに、延長手摺２６を収縮位置として手摺装置本体１１を倒すことにより、倒した状態のかご上手摺装置が占めるスペースを小さくすることができる。
【図面の簡単な説明】
図１はこの発明の実施の形態１によるエレベータのかご上手摺装置を示す側面図、
図２は図１のかご上手摺装置の包囲範囲を広げた状態を示す側面図、
図３は図２のかご上手摺装置を示す平面図、
図４はこの発明の実施の形態２によるエレベータのかご上手摺装置を示す側面図、
図５は図４のかご上手摺装置の包囲範囲を広げた状態を示す側面図、
図６はこの発明の実施の形態３によるエレベータのかご上手摺装置を示す側面図、
図７は図６のかご上手摺装置の包囲範囲を広げた状態を示す側面図、
図８はこの発明の実施の形態４によるエレベータのかご上手摺装置を示す側面図、
図９は図８のかご上手摺装置の包囲範囲を広げた状態を示す側面図、
図１０は図９のかご上手摺装置を示す平面図、
図１１はこの発明の実施の形態５によるエレベータのかご上手摺装置を示す側面図、
図１２は図１１のかご上手摺装置の包囲範囲を広げた状態を示す側面図、
図１３は従来のエレベータのかごの一例を示す側面図である。
【図１】
2003074410.tif 000003
【図２】
2003074410.tif 000004
【図３】
2003074410.tif 000005
【図４】
2003074410.tif 000006
【図５】
2003074410.tif 000007
【図６】
2003074410.tif 000008
【図７】
2003074410.tif 000009
【図８】
2003074410.tif 000010
【図９】
2003074410.tif 000011
【図１０】
2003074410.tif 000012
【図１１】
2003074410.tif 000013
【図１２】
2003074410.tif 000014
【図１３】
2003074410.tif 000015
【国際調査報告】
2003074410.tif 000016
2003074410.tif 000017
2003074410.tif 000018
2003074410.tif 000019